(57)【要約】【課題】この発明は注出ヘッドを衛生的に固定することができる飲料ディスペンサを提供することを課題とする。【解決手段】スノコ８には、受け部３０を有するホルダ１１が着脱自在に固定されている。注出ヘッド３にはフック２４が設けられている。注出ヘッド３を使用しないとき、ホルダ１１の受け部３０に、注出ヘッド３が係合して保持される。ホルダ１１は、注出ヘッド３を保持した状態のとき、注出ヘッド３の注出口２６が排出口に連通するスノコ８上に位置するように配置されている。【選択図】図３
2005219805.tif 000002
【特許請求の範囲】
【請求項１】
複数種類の液体を収容するとともに、排水口に連通するスノコを有する筐体と、
前記筐体に接続された供給ホースと、
前記供給ホースに接続され前記複数種類の液体を混合するとともに、前記混合した前記液体を注出する注出口を有する注出ヘッドと
を備えた飲料ディスペンサにおいて、
前記注出ヘッドには、フック部が設けられ、
前記スノコには、前記フックと係合し前記注出ヘッドを保持する受け部を有するホルダが着脱自在に固定され、前記注出ヘッドの前記注出口が前記スノコ上に位置するように配置されたことを特徴とする飲料ディスペンサ。
【発明の詳細な説明】
【技術分野】
【０００１】
この発明は、複数種類の液体を混合して飲料水を提供する飲料ディスペンサに係り、とくに、注出操作を行わない間、注出ヘッドを衛生的に固定することを可能とした飲料ディスペンサに関する。
【背景技術】
【０００２】
従来、この種の飲料ディスペンサは、特許文献１に記載されているように、炭酸水、希釈水、濃縮原料等が収容された複数の容器を備える筐体と、飲料水を注出する注出ヘッドと、筐体及び注出ヘッドを接続する供給ホースとを備えている。
【０００３】
注出ヘッドは飲料提供者が手で持ち易い形状をなしており、注出ヘッド本体に操作用の複数のスイッチが設けられている。飲料提供者は、これらのスイッチを操作して、複数の原料に対応した複数飲料の中から、顧客の要望があった飲料を選択して提供する。
【０００４】
飲料の注出を行わない間は、飲料提供者は注出ヘッドを飲料ディスペンサの適切な場所に固定する必要がある。例えば、図１１に示すように、飲料ディスペンサのカウンター６４に、ホルダ６３を介して設置したゴム製容器６２に、注出ヘッド６０のノズル６１を挿入することにより、注出ヘッド６０を固定することができる。ノズル６１をこのゴム製容器６２に挿入した場合、ノズル６１から飲料水が垂れると、ゴム製容器６２内に飲料水がたまってしまうので、ゴム製容器６２に排水ホース６５を設けている。
【０００５】
【特許文献１】実開平１−１７７２００号
【発明の開示】
【発明が解決しようとする課題】
【０００６】
しかしながら、ノズル６１から垂れる飲料水を、排水ホース６５から排出することによって、ゴム製容器６２内に飲料水がたまるのを防止したとしても、ゴム製容器６２内の飲料水が垂れた部分は、かびや細菌が繁殖しやすい状態になってしまう。その中にノズル６１を挿入すると、注出ヘッド６０自体にかびや細菌が付着しやすくなってしまうという問題点があった。また、このようなゴム製容器６２は、カウンター６４等に固定されていることから、容易に洗浄ができないという問題点もあった。さらに、ノズル６１をゴム製容器６２に挿入して固定しておくと、注出ヘッド６０の自重で落下しやすいという問題点もあった。
【０００７】
この発明はこのような問題点を解消するためになされたもので、注出ヘッドを衛生的に固定することができる飲料ディスペンサを提供することを目的とする。
【課題を解決するための手段】
【０００８】
この発明に係る飲料ディスペンサは、複数種類の液体を収容するとともに、排水口に連通するスノコを有する筐体と、筐体に接続された供給ホースと、供給ホースに接続され複数種類の液体を混合するとともに、混合した液体を注出する注出口を有する注出ヘッドとを備えた飲料ディスペンサにおいて、注出ヘッドには、フック部が設けられ、スノコには、フックと係合し注出ヘッドを保持する受け部を有するホルダが着脱自在に固定され、注出ヘッドの注出口がスノコ上に位置するように配置されたことを特徴とするものである。
【発明の効果】
【０００９】
この発明によれば、スノコには、受け部を有するホルダが着脱自在に固定され、注出ヘッドに設けられたフック部がホルダの受け部に係合し、注出ヘッドの注出口がスノコ上に位置するように配置されるようにしたので、注出ヘッドを衛生的に固定することができる。
【発明を実施するための最良の形態】
【００１０】
以下、この発明の実施の形態を添付図面に基づいて説明する。
図１は、この発明の実施の形態に係る飲料ディスペンサ１の正面図である。
飲料ディスペンサ１は、炭酸水、希釈水、濃縮原料等が収容された複数の容器（図示されていない）を備える筐体２と、飲料水を注出する注出ヘッド３と、筐体２及び注出ヘッド３を接続する供給ホース４とを備え、筐体２の上部には、天板７が設置されている。
また、筐体２の鉛直方向に対して平行に位置するように、筐体２の内部に電装箱５が設けられている。電装箱５の蓋に設けられている操作パネル部６は、筐体２の正面側に配置されている。
【００１１】
図２は、飲料ディスペンサ１の平面図である。
天板７には排水口１０を設けた凹状のドレンパンを形成され、そこへ脱着可能な状態で、スノコ８が設置されている。スノコ８には、多数の排水穴９が縦横方向とも同一のピッチであいている。スノコ８の排水穴９は、ドレインパンを介して排水口１０に連通する。
【００１２】
図３は、飲料ディスペンサ１の側面図である。
スノコ８にはホルダ１１が固定されており、後述する構造により注出ヘッド３をホルダ１１に引っ掛け固定できるように構成されている。
【００１３】
次に、注出ヘッド３の構造について説明する。
図４は、注出ヘッド３の平面図である。また、図５は、図４のＶ-Ｖ線に沿った注出ヘッド３の側面断面図である。
注出ヘッド３は、ヘッド本体２０と、その先端に取り付けられたノズル２２とを備えている。ヘッド本体２０は、飲料提供者が手で持ち易い形状をなしており、上面には操作用の複数のスイッチ２１が設けられ、下部には、注出ヘッド３を引っ掛け固定するためのフック２４が設けられている。ヘッド本体２０の基端側には、自由に動かすことが可能なステンレス製のフレキシブルコンジット２３が接続されている。ヘッド本体２０の内部には、飲料回路２５、信号線２７及びワイヤーロープ２８が設けられており、フレキシブルコンジット２３内を通って、筐体２へ延びている。ワイヤーロープ２８は筐体２に結合することによって、操作時におけるフレキシブルコンジット２３の伸びを規制することができ、さらに信号線２６が折れたり切れたりするのを保護することができる。
【００１４】
次に、注出ヘッド３を引っ掛け固定するためのホルダ１１の構造を説明する。
図６（ａ）はホルダ１１の平面図、（ｂ）は正面図、（ｃ）は側面図である。
ホルダ１１は金属製のワイヤで、２つの支柱部３１，３２と、それらによって支持されている水平な受け部３０から構成されている。支柱部３１，３２の先端部には、雄ねじ３３およびフランジ３４が形成されている。また、支柱部３１，３２は、上方に延び、最頂部３１ａ、３１ｂにおいて、へアピン状に折れ曲がり、受け部３０に接続される。
さらに、図６（ｂ）に端的に示されるように、最頂部３１ａ、３１ｂの間隔は、支柱部３１，３２の間に注出ヘッド３を挿入しやすいように、受け部３０の長さよりも大きくなるように構成されている。
【００１５】
図７は、注出ヘッド３をホルダ１１に引っ掛け固定している状態を示している図である。
ホルダ１１は、スノコ８にあけられた排水穴９に、差し込まれ、ナット３７により固定されている。ホルダ１１の受け部３０に、注出ヘッド３の下部に形成された逆Ｌ字形状のフック２４を引っ掛けることによって、注出ヘッド３が固定される。このように、スノコ８には、フック２４と係合し注出ヘッド３を保持する受け部３０を有するホルダ１１が着脱自在に固定され、注出ヘッド３の先端のノズル２２に設けられた注出口２６がスノコ上に位置するように配置されている。
【００１６】
次に、飲料ディスペンサ１の動作を制御するための、各種制御装置を備えた電装箱５の構造について説明する。
図８は、蓋を開けた状態の電装箱５の平面図である。
電装箱５は、各種制御装置が設置されている電装箱本体４０と、操作パネル部６が設置されている電装箱蓋４１によって構成される。電装箱蓋４１は、板金加工でつくられ、強度を上げるために箱状に加工されている。
電装箱本体４０と電装箱蓋４１とは、穴４４，４５を介して、樹脂製の結束バンド４２により連結されている。また、電装箱本体４０から操作パネル部６に接続ケーブル４３が延び、電気的に連結されている。
【００１７】
図９は、図８に示された電装箱５を蓋を閉めた状態にして、図８の矢印Ｘの方向から見た図である。
電装箱本体４０の裏側には、電装箱５を筐体２に接続するための取付フランジ４７が形成されている。この取付フランジ４７は、電装箱本体４０の裏側の四隅にそれぞれ設けられている（図８参照）。また、取付フランジ４７には、ねじ挿入穴４８があいており、ねじ挿入穴４８に、図示しないねじが挿入され筐体２に設けられた雌ねじに螺合して、電装箱５が筐体２に固定されるように構成されている。
また、電装箱本体４０の電装箱蓋４１側には、蓋取付フランジ４６が形成されている。蓋取付フランジ４６にも、バンド取付用の本体穴４４が形成され、この本体穴４４は、ねじ挿入穴４８と重なる位置に配置されている。
さらに、電装箱蓋４１にもバンド取付用の蓋穴４５が形成されている。
【００１８】
図１０は、電装箱蓋４１が開閉する際の機構を説明するための図である。
蓋穴４５および本体穴４４には、樹脂製の結束バンド４２が挿入され、電装箱本体４０と電装箱蓋４１とを開閉自在に固定している。結束バンド４２による、電装箱本体４０と電装箱蓋４１との連結は、点５１、５２、５３を支点とした結束バンド４２の弾性力によるものである。開閉の際は、２つの結束バンド４２により拘束された、電装箱本体４０の蓋取付フランジ４６の縁部点５０を回転軸として開閉することができる。
電装箱本体４０の本体穴４４と、挿入穴４８が重なるように配置されているので、電装箱５を筐体２に接続する際、本体穴４４を通してドライバー等のねじ締め付け工具を挿入することによって、挿入穴４８に挿入された、電装箱５を筐体２に固定するためのねじを締め付けることができる。
尚、結束バンド４２の材質は樹脂に限定されるものではなく、金属製であってもよい。
【００１９】
次に、この実施の形態に係る飲料ディスペンサの動作について説明する。
注出ヘッド３を手に持った飲料提供者は、顧客からの飲料の注文を受けると、コップをスノコ８の上に置き、その注文の飲料に対応する注出ヘッド３のスイッチ２１の操作を行う。これにより、筐体２内の対応する炭酸水、希釈水、濃縮原料等が、飲料回路２５を通り、注出ヘッド３のノズル２２からコップに注出される。この際、それぞれの飲料回路２５から放出された炭酸水、希釈水、濃縮原料等は、ノズル２２の内側において注出直前にミックスされ、炭酸飲料水として、注出口２６から注出される。
一方、顧客からの飲料の注文がない場合は、ホルダ１１の受け部３０に、注出ヘッド３の下部に形成されたフック２４を引っ掛けることによって、注出ヘッド３を固定しておくことができる。
【００２０】
このように、スノコ８には、受け部３０を有するホルダ１１が着脱自在に固定され、注出ヘッド３に設けられたフック２４がホルダ１１の受け部３０に係合し、注出ヘッド３の注出口２６がスノコ８上に位置するように配置されるようにした。これにより、ノズル２２から飲料水がたれても、スノコ８の穴９を介して、排出口１０に排水することができるため、注出ヘッド３を衛生的に固定することができる。
また、ホルダ１１は、スノコ８の穴９に差し込んでナットで固定する構造のため、スノコ８上の適当な位置に簡単に設置することができ、飲料提供者の注出作業にあわせて、任意の位置に注出ヘッド３を保持することができる。
【図面の簡単な説明】
【００２１】
【図１】この発明の実施の形態に係る飲料ディスペンサの全体構造を示す正面図である。
【図２】この発明の実施の形態に係る飲料ディスペンサの全体構造を示す平面図である。
【図３】この発明の実施の形態に係る飲料ディスペンサの全体構造を示す側面図である。
【図４】この発明の実施の形態に係る注出ヘッドの全体構造を示す平面図である。
【図５】図４のＶ-Ｖ線に沿った注出ヘッドの側面断面図である。
【図６】この発明の実施の形態に係るホルダの全体構造を示す図である。
【図７】この発明の実施の形態に係る飲料ディスペンサにおいて、注出ヘッドをホルダに引っ掛け固定している状態を示している図である。
【図８】この発明の実施の形態に係る飲料ディスペンサに用いられる電装箱について、蓋を開けた状態での全体構造を示す平面図である。
【図９】図８の電装箱について、蓋を閉めた状態で、図８の矢印Ｘの方向から見た図である。
【図１０】図８の電装箱について、電装箱蓋が開閉する際の機構を説明するための図である。
【図１１】従来の飲料ディスペンサにおける、注出ヘッドを固定する方法を示す図である。
【符号の説明】
【００２２】
１  飲料ディスペンサ、２  筐体、３  注出ヘッド、４  供給ホース、８  スノコ、９  穴、１０  排水口、１１  ホルダ、２０  ヘッド本体、２４  フック、２６  注出口、３０  受け部。
【図１】
2005219805.tif 000003
【図２】
2005219805.tif 000004
【図３】
2005219805.tif 000005
【図４】
2005219805.tif 000006
【図５】
2005219805.tif 000007
【図６】
2005219805.tif 000008
【図７】
2005219805.tif 000009
【図８】
2005219805.tif 000010
【図９】
2005219805.tif 000011
【図１０】
2005219805.tif 000012
【図１１】
2005219805.tif 000013